(57)【要約】【課題】乗員に不快感を与えることを抑えながら、乗員の上肢の体感温度を調整する。【解決手段】車両に乗車した乗員が着座するシートを有する車両の空調装置２は、シートの幅方向一側部または一方側に設けられる一方側吹出口５３を有する一方側吹出ダクト５１と、シートの幅方向他側部または他方側に設けられる他方側吹出口５６を有する他方側吹出ダクト５４と、シートより前側においてシートに向けて設けられる前吹出口５９を有する前側吹出ダクト５７と、を有する。一方側吹出ダクト５１から吹き出した第一空気流および他方側吹出ダクト５４から吹き出した第二空気流は、シートに着座した乗員の上体部の前で合流し、乗員の上体部の前で滞留する。前側吹出ダクト５７から吹き出した第三空気流は、乗員の上体部の前で滞留している空気を、乗員の上体部へ向けて移動させる。【選択図】図３
2017065465.tif 000002
【特許請求の範囲】
【請求項１】
車両に乗車した乗員が着座するシートを有する車両の空調装置であって、
前記シートの幅方向一側部または一方側に設けられる一方側吹出口を有する一方側吹出ダクトと、
前記シートの幅方向他側部または他方側に設けられる他方側吹出口を有する他方側吹出ダクトと、
前記シートより前側において前記シートに向けて設けられる前吹出口を有する前側吹出ダクトと、
を有し、
前記一方側吹出ダクトから吹き出した第一空気流および前記他方側吹出ダクトから吹き出した第二空気流を前記シートに着座した乗員の上体部の前で合流させて、乗員の上体部の前で空気を滞留させ、
前記前側吹出ダクトから吹き出した第三空気流により、乗員の上体部の前で滞留している空気を乗員の上体部へ向けて移動させる、
車両の空調装置。
【請求項２】
前記一方側吹出ダクトおよび前記他方側吹出ダクトは、合流後の空気流が前記シートに落ち得る低速で空気流を吹き出し、
前記前側吹出ダクトは、前記第一空気流および前記第二空気流より早い第三空気流を吹き出す、
請求項１記載の車両の空調装置。
【請求項３】
前記一方側吹出口および前記他方側吹出口は、前記シートの背部に設けられる、
請求項２記載の車両の空調装置。
【請求項４】
前記前吹出口は、前記シートの幅に対応する幅に形成される、
請求項２または３記載の車両の空調装置。
【請求項５】
前記前側吹出ダクトは、前記第三空気流を、前記第一空気流および前記第二空気流より早い速度と、前記第一空気流および前記第二空気流より遅い速度との間で切り替える、
請求項１から４のいずれか一項記載の車両の空調装置。
【請求項６】
前記シートの座面の幅方向一方側に設けられたコンソールボックス内に設けられ、空気流を冷やす調温ユニットを有し、
前記一方側吹出ダクトおよび前記他方側吹出ダクトは、前記調温ユニットに接続され、前記調温ユニットにより生成された冷気を吹き出す、
請求項１から５のいずれか一項記載の車両の空調装置。
【請求項７】
前記一方側吹出ダクトおよび前記他方側吹出ダクトから吹き出される空気流は、０．０１ｍ／秒以上、６ｍ／秒以下である、
請求項２記載の車両の空調装置。
【発明の詳細な説明】
【技術分野】
【０００１】
本発明は、自動車といった車両の空調装置に関する。
【背景技術】
【０００２】
現在の自動車といった車両では、乗員室内の温度を調整する空調装置が用いられている。このような車両の空調装置では、乗員室の前面などに配置された通気口から強い空気流を噴き出すことにより、乗員室の全体の温度を空調している。
また、特許文献１では、そのような通気口を乗員の大腿部から腰にかけての下半身に向けて設け、通気口から温風を吹き出している。このように強い温風を直接吹き付けるようにして乗員に当てることにより、乗員を直接的に温めることができる。
【先行技術文献】
【特許文献】
【０００３】
【特許文献１】特開２０１１−１０５１２０号公報
【発明の概要】
【発明が解決しようとする課題】
【０００４】
しかしながら、特許文献１では、通気口は、シートに着座した乗員の前側において後向きに配置されている。このように乗員の前側から乗員に対して温風を吹き付けた場合、温風は、乗員の大腿部から腰にかけての下半身を通過した後、上体に沿って上へ上がり、乗員の顔といった頭部にも吹き付けることになる。その結果、乗員に不快感を与える可能性がある。
【０００５】
このように車両の空調装置では、乗員に不快感を与えることを抑えながら、乗員の上肢の体感温度を調整することが望まれている。
【課題を解決するための手段】
【０００６】
本発明に係る車両の空調装置は、車両に乗車した乗員が着座するシートを有する車両の空調装置であって、前記シートの幅方向一側部または一方側に設けられる一方側吹出口を有する一方側吹出ダクトと、前記シートの幅方向他側部または他方側に設けられる他方側吹出口を有する他方側吹出ダクトと、前記シートより前側において前記シートに向けて設けられる前吹出口を有する前側吹出ダクトと、を有し、前記一方側吹出ダクトから吹き出した第一空気流および前記他方側吹出ダクトから吹き出した第二空気流を前記シートに着座した乗員の上体部の前で合流させて、乗員の上体部の前で空気を滞留させ、前記前側吹出ダクトから吹き出した第三空気流により、乗員の上体部の前で滞留している空気を乗員の上体部へ向けて移動させる。
【０００７】
好適には、前記一方側吹出ダクトおよび前記他方側吹出ダクトは、合流後の空気流が前記シートに落ち得る低速で空気流を吹き出し、前記前側吹出ダクトは、前記第一空気流および前記第二空気流より早い第三空気流を吹き出す、とよい。
【０００８】
好適には、前記一方側吹出口および前記他方側吹出口は、前記シートの背部に設けられる、とよい。
【０００９】
好適には、前記前吹出口は、前記シートの幅に対応する幅に形成される、とよい。
【００１０】
好適には、前記前側吹出ダクトは、前記第三空気流を、前記第一空気流および前記第二空気流より早い速度と、前記第一空気流および前記第二空気流より遅い速度との間で切り替える、とよい。
【００１１】
好適には、前記シートの座面の幅方向一方側に設けられたコンソールボックス内に設けられ、空気流を冷やす調温ユニットを有し、前記一方側吹出ダクトおよび前記他方側吹出ダクトは、前記調温ユニットに接続され、前記調温ユニットにより生成された冷気を吹き出す、とよい。
【００１２】
好適には、前記一方側吹出ダクトおよび前記他方側吹出ダクトから吹き出される空気流は、０．０１ｍ／秒以上、６ｍ／秒以下である、とよい。
【発明の効果】
【００１３】
本発明では、一方側吹出ダクトおよび他方側吹出ダクトは共に第一空気流および第二空気流を吹き出すので、シートに着座した乗員の上体部の前でこれらの空気流を合流させて滞留させることができる。
そして、シートより前側においてシートに向けて設けられる前側吹出ダクトから第三空気流を噴き出すことにより、乗員の上体部の前で滞留している空気を乗員の上体部へ向けて移動させることができる。
その結果、第一空気流と第二空気流とが合流することにより生成された滞留気流を、乗員の上体部にまとわりつかせることができる。滞留気流を、乗員の上体部のたとえば脇の下、首筋などへ効果的に供給することができる。
しかも、第一空気流および第二空気流は基本的にシートから前へ向かう気流であり、第三空気流はシートの前からシートへ向かう気流である。よって、第一空気流および第二空気流により、第三空気流を弱めることができる。よって、第三空気流が弱められることなくそのまま乗員の顔といった頭部に直接吹き付けられる場合と比べて乗員に対して不快感を与えないようにできる。
【図面の簡単な説明】
【００１４】
【図１】図１は、本発明の第１実施形態に係る空調装置が適用される自動車の構造を模式的に示す説明図である。
【図２】図２は、本発明の第１実施形態に係る空調装置の構成の説明図である。
【図３】図３は、図２の空調装置による乗員周りでの空気の流れを示す説明図である。
【図４】図４は、本発明の第２実施形態に係る空調装置の構成の説明図である。
【発明を実施するための形態】
【００１５】
以下、本発明の実施形態を、図面に基づいて説明する。
【００１６】
［第１実施形態］
図１は、本発明の第１実施形態に係る空調装置２が適用される自動車１の構造を模式的に示す説明図である。
【００１７】
自動車１は、車両の一種である。自動車１の車体の前後方向中央部には、乗員が乗車する乗員室が形成される。車体の前部には、燃料エンジンなどを配置するための前室が形成される。車体の後部には、荷室などとして用いることができる後室が形成される。
乗員室は、略四角形のフロアパネル１１、フロアパネル１１の前角に立設される一対のＡピラー１２、フロアパネル１１の前後方向中央に立設される一対のＢピラー１３、フロアパネル１１の後角に立設される一対のＣピラー１４、を有する。Ａピラー１２の上端とＣピラー１４の上端とは、ルーフレール１５により連結される。Ｂピラー１３の上端は、ルーフレール１５の前後方向中央に接合される。左右一対のルーフレール１５の間には、略四角形のルーフパネル１６が接合される。
フロアパネル１１の前縁と一対のＡピラー１２の下部との間にはトーボード１７が配置され、トーボード１７の上側にはダッシュボード１８が配置される。ダッシュボード１８、一対のＡピラー１２の上部、およびルーフパネル１６の前縁に囲われるように、フロントガラス１９が嵌め込まれる。一対のＣピラー１４の上部の間には、リアガラス２０が嵌め込まれる。
前後方向に並ぶＡピラー１２とＢピラー１３との間には、Ａピラー１２に回転可能に支持される図示外の前ドアが配置される。Ｂピラー１３とＣピラー１４との間には、Ｂピラー１３に回転可能に支持される図示外の後ドアが配置される。フロアパネル１１の左右幅方向両縁には、一対のサイドシル２１が接合される。
このように、自動車１の乗員室は、略立方体形状の箱型の空間となる。
また、フロアパネル１１の左右幅方向中央には、乗員室内へ突出するように前後方向へ延在するセンタートンネル２２が形成される。センタートンネル２２の下側には、たとえば燃料エンジンの駆動力を後輪へ伝達するための図示外のドライブシャフトが配置される。
フロアパネル１１の前部には、フロントシートとして、ドライバが着座するドライバシート２３、ナビゲータが着座するナビゲーションシート２４が左右幅方向に並べて取り付けられる。ドライバシート２３は、座部４１と背部４２とを有する。ナビゲーションシート２４は、座部４１と背部４２とを有する。ドライバシート２３の座部４１とナビゲーションシート２４の座部４１との間にセンタートンネル２２が位置する。センタートンネル２２の上には、シフトレバー２５、図示外のサイドブレーキレバー、内装部材としてのコンソールボックス２６などが取り付けられる。
ドライバシート２３およびナビゲーションシート２４の前には、左右幅方向へ延在するダッシュボード１８が位置する。ドライバシート２３の前には、ダッシュボード１８から後向きに突出して設けられたステアリングホイール２７が位置する。
フロアパネル１１の後部には、リアシートとして、複数の乗員が着座できるベンチシート２８が取り付けられる。ベンチシート２８は、座部４１と背部４２とを有する。ベンチシート２８は、フロアパネル１１と同等の左右幅を有する。ベンチシート２８には、通常３名までの乗員が着座することが可能である。
【００１８】
ところで、従来の自動車１では、自動車１の動力源として燃料エンジンを用いるのが一般的であった。しかしながら、二酸化炭素の排出量規制などにより、近年の自動車１では、燃料エンジンと電気モータとを併用するハイブリッド駆動方式を採用することがある。また、電気モータのみを動力源として採用することもある。
そして、電気モータを用いる自動車１では、発熱源および動力源としての燃料エンジンが無かったり、常時動作していなかったりするため、乗員室の空調に用いる冷気または暖気を生成するために自動車１に搭載されているバッテリの電力を用いることになる。この場合、自動車１に搭載しているバッテリの電力を空調に消費してしまうので、走行可能距離が短くなったり、速度などの走行性能を抑える必要が生じたりすることになる。
このように、自動車１の空調装置２では、空調装置２によるエネルギー消費を改善することが将来的に求められている。特に、乗員は夏場において首や脇の下といった上体において厚さを感じ易い。
【００１９】
そこで、本実施形態では、自動車１の乗員室の全体を空調するのではなく、たとえば乗員毎に空調を実施するパーソナル空調装置２を提案する。このような空調装置２を用いることにより、たとえば自動車１の乗員室の全体を暖めたり冷やしたりする必要性を減らすことができる。また、乗員室の全体を空調する空調装置と併用する場合でもその負担を削減できるので、結果として自動車１における空調装置２のエネルギー消費を削減することを期待できる。
【００２０】
図２は、本発明の第１実施形態に係る空調装置２の構成の説明図である。
空調装置２は、内側吹出ダクト５１、内側吹出ファン５２、外側吹出ダクト５４、外側吹出ファン５５、前側吹出ダクト５７、前側吹出ファン５８、調温ユニット６１、制御部７１、を有する。
【００２１】
調温ユニット６１は、たとえばユニットボックス６２内にヒータ６３、ペルチェ素子６４、温度センサ６５、が配置されたものでよい。ヒータ６３は、自動車１に搭載されているバッテリの電力を用いて、ユニットボックス６２内の空気を加熱する。ペルチェ素子６４は、自動車１に搭載されているバッテリの電力を用いて、ユニットボックス６２内の空気を冷却する。この他にもたとえば、調温ユニット６１は、乗員室の全体を空調する空調装置のダクトに連結され、その全体空調装置から加熱または冷却された空気の供給を受けてもよい。また、燃料エンジンの冷却水などの温媒や冷媒が供給されてもよい。温度センサ６５は、ユニットボックス６２内の空気の温度を検出する。
【００２２】
内側吹出ダクト５１は、一端に内側吹出口５３を有し、他端が調温ユニット６１のユニットボックス６２に連結される。内側吹出口５３は、ルーバなどの風向調整機構が設けられてよい。内側吹出口５３の内側であるダクト内に、空気を低速で吸い込ませる又は吹き出すための内側吹出ファン５２が設けられてよい。
【００２３】
外側吹出ダクト５４は、一端に外側吹出口５６を有し、他端が調温ユニット６１のユニットボックス６２に連結される。外側吹出口５６には、ルーバなどの風向調整機構が設けられてよい。外側吹出口５６の内側であるダクト内に、空気を低速で吹き出させる又は吹き出すための外側吹出ファン５５が設けられてよい。
【００２４】
前側吹出ダクト５７は、一端に前吹出口５９を有し、他端が調温ユニット６１のユニットボックス６２に連結される。前吹出口５９には、ルーバなどの風向調整機構が設けられてよい。前吹出口５９の内側であるダクト内に、空気を低速で吹き出すための前側吹出ファン５８が設けられてよい。
【００２５】
制御部７１は、空調装置２の動作を制御するものである。制御部７１は、たとえばマイクロコンピュータでよい。制御部７１は、自動車１に設けられる他の制御部７１と、１つのマイクロコンピュータに統合されてよい。このようなマイクロコンピュータとしては、たとえばＥＣＵがある。制御部７１には、たとえばヒータ６３、ペルチェ素子６４、温度センサ６５、内側吹出ファン５２、外側吹出ファン５５、前側吹出ファン５８、が接続される。
【００２６】
そして、このような空調装置２は、たとえばシートに着座した乗員毎に設けられる。ここでは、ナビゲーションシート２４に対して設置されている。
具体的には、内側吹出口５３は、ナビゲーションシート２４の座部４１の内側に配置されるコンソールボックス２６についての、ナビゲーションシート２４側の側面に設けられる。内側吹出口５３は、ナビゲーションシート２４の座部４１の座面より上側に離間した高さ位置に設けられる。
外側吹出口５６は、ナビゲーションシート２４の座部４１の外側において座部４１の座面より上側に離間した高さ位置に設けられる。
前吹出口５９は、ナビゲーションシート２４の前側に設けられるダッシュボード１８に設けられる。前吹出口５９は、ナビゲーションシート２４の座面より高い位置において、後向きに設けられる。また、前吹出口５９は、幅方向に長い横長スリット形状に形成され、ナビゲーションシート２４の幅に対応する幅に形成される。
調温ユニット６１は、コンソールボックス２６内に設けられる。よって、内側吹出ダクト５１もコンソールボックス２６内に設けられる。また、外側吹出ダクト５４は、コンソールボックス２６から突出し、ナビゲーションシート２４の座部４１の下側を通じて、ナビゲーションシート２４の座部４１の外側まで伸びる。また、前側吹出ダクト５７は、コンソールボックス２６から突出し、たとえばダッシュボード１８の前側に至るまでセンタートンネル２２に沿って前へ伸びる。
【００２７】
次に、空調装置２の動作について説明する。
図３は、図２の空調装置２による乗員周りでの空気の流れを示す説明図である。
【００２８】
空調装置２の制御部７１は、たとえば温度センサ６５の検出温度を取得し、所望の温度となるようにヒータ６３およびペルチェ素子６４の動作および停止を制御する。制御目標温度としては、乗員の体感温度が高まるような温度であればよい。冬季などの暖房を必要とする場合には、たとえば２０度程度の温度でよい。
また、制御部７１は、ユーザ操作に基づいて内側吹出ファン５２、外側吹出ファン５５、前側吹出ファン５８、を動作させて空調制御を開始する。
この際、制御部７１は、内側吹出ファン５２、外側吹出ファン５５および前側吹出ファン５８を低速で回転させる。
【００２９】
たとえば内側吹出ファン５２および外側吹出ファン５５は、それぞれの空気流が０．０１ｍ／秒以上、６ｍ／秒以下となるように低速で回転させる。このように流速を６ｍ／秒以下とすることにより、空気流による体感温度の低下分を１度程度またはそれ以下にすることができる。また、内側吹出ファン５２の低速の空気流と、外側吹出ファン５５の低速の空気流とは、シートに着座した乗員の前において合流し、乗員の上体部の前で滞留する。
【００３０】
また、制御部７１は、前側吹出ファン５８を低速で回転させる。たとえば前側吹出ファン５８は、内側吹出ファン５２の低速の空気流、および外側吹出ファン５５の低速の空気流より早い空気流を吹き出す。この空気流は、幅広の前吹出口５９の幅広形状にしたがって、シートの幅の空気流となって前から後へ流れる。これにより、シートに着座した乗員の前で滞留している空気は、前側吹出ファン５８により生成された空気流により、乗員の上体部へ向けて移動する。シートに着座した乗員の前で滞留している空気は、該上体にまとわりつくようにして、上体の表面に沿って前から後へ流れる。
【００３１】
また、制御部７１は、前側吹出ファン５８の回転速度を、低速の範囲内で変動させる。これにより、前側吹出ファン５８の空気流は、内側吹出ファン５２の低速の空気流および外側吹出ファン５５の低速の空気流より早い速度と、内側吹出ファン５２の低速の空気流および外側吹出ファン５５の低速の空気流より遅い速度との間で切り替わる。そして、遅い速度の空気流の時に、シートに着座した乗員の前で空気流を滞留させ、早い空気流の時に、滞留している空気を乗員の上体部へ向けて移動させることができる。
【００３２】
以上のように、本実施形態では、内側吹出ダクト５１および外側吹出ダクト５４は共に空気流を弱く吹き出すので、シートに着座した乗員の上体部の前でこれらの空気流を合流させて滞留させることができる。
特に、内側吹出ダクト５１および外側吹出ダクト５４は、それらの空気流が合流した後にシートへ落ち得る程度の低速で空気流を吹き出している。よって、合流後の空気流は、乗員の前に滞留し易い。
そして、シートより前側においてシートに向けて設けられる前側吹出ダクト５７から後向きの弱い幅広の空気流を噴き出すことにより、乗員の上体部の前で滞留している空気を乗員の上体部へ向けて移動させることができる。
その結果、乗員の上体部の前で滞留している空気を、乗員の上体部にまとわりつかせることができる。滞留気流を、乗員の上体部のたとえば脇の下、首筋などへ効果的に供給することができる。
【００３３】
しかも、内側吹出ダクト５１の弱い空気流と外側吹出ダクト５４の弱い空気流とは基本的に後ろから前へ向かう空気流であり、前側吹出ダクト５７の弱い空気流は、前から後ろへ向かう空気流である。よって、これらの気流が合流することにより、空気流が前後方向へ流れる速度は遅くなる。
その結果、乗員の上体部にまとわりつく空気流の速度が効果的に低く抑えられ、乗員の脇の下、首筋などへ効果的に供給することができる。
しかも、非常に弱い流れとなっているので、該空気流が乗員の顔といった頭部に直接吹き付けられたとしても、乗員に対して不快感を与え難くできる。
【００３４】
また、本実施形態では、前吹出口５９がシートの幅に対応する幅に形成されている。よって、シートの幅に対応した幅広の空気流により、滞留気流を、シートに着座する乗員の上体の幅全体に対して供給できる。これにより、滞留気流が上体に対して全体的にまとわりつき易くなる。
【００３５】
また、本実施形態では、前側吹出ダクト５７の空気流は、内側吹出ダクト５１の空気流および外側吹出ダクト５４の空気流より早い速度と、これらの空気流より遅い速度との間で切り替わる。よって、空調装置２は、シートに着座した乗員の上体部の前で、内側吹出ダクト５１の空気流と外側吹出ダクト５４の空気流とを断続的に合流させ続けることができる。しかも、この合流して滞留する空気流を、乗員に対して供給し続けることができる。乗員の上体にまとわりつく滞留気流を生成し続けることができる。たとえば、内側吹出ダクト５１および外が側吹出ダクト５１から冷気を吹き出して、冷たい滞留気流を乗員の上体にまとわりつかせることができる。
【００３６】
また、本実施形態では、空気を暖めたりする調温ユニット６１がコンソールボックス２６内に設けられる。よって、調温ユニット６１から内側吹出口５３までの内側吹出ダクト５１および調温ユニット６１から外側吹出口５６までの外側吹出ダクト５４が最短となり、これらのダクトでの熱損を最小限に抑えることができる。また、調温ユニット６１をシートの周囲に露出して設ける必要がなくなる。
これにより、乗員の体感温度といった快適性を損なうことなく、空調に使用するエネルギーを削減できる。
【００３７】
［第２実施形態］
第２実施形態に係る空調装置２は、第１実施形態のものと比べて、内側吹出口５３および外側吹出口５６がシートに配置されている点において異なる。以下の説明では、主に第１実施形態のものとの相違点について説明する。また、説明の便宜上、第１実施形態と同じ符号を使用する。
【００３８】
図４は、本発明の第２実施形態に係る空調装置２の構成の説明図である。乗員周りでの空気の流れは、図３と略同様である。
【００３９】
内側吹出口５３は、シートの背部４２の幅方向内側部に設けられる。外側吹出口５６は、シートの背部４２の幅方向外側部に設けられる。好ましくは、シートの背部４２は、腰の左右を支えるように張り出した部分を有し、内側吹出口５３および外側吹出口５６はこれらの張り出し部分に設けられてよい。そして、内側吹出ダクト５１および外側吹出ダクト５４は、コンソールボックス２６から外へ突出し、ナビゲーションシート２４の背部４２まで伸びる。
【００４０】
そして、本実施形態では、シートの背部４２の幅方向内側部に内側吹出口５３および外側吹出口５６が設けられている。しかも、これらの空気流は、シートに着座した乗員の上体の前で合流し易い。この場合であっても、これらの通気口の双方から弱い空気流を噴き出すとともに、前吹出口５９から弱い空気流を吹き出すことにより、シートに着座した乗員の上体に対してまとわりつかせるように空気流を流すことができる。乗員の上体全体を調温された空気流で包み込み、上体全体の体感温度を左右均等に且つ全体的に調整できる。乗員の首や脇の下といった部分についても冷感を与えることができる。
【００４１】
なお、本実施形態では、内側吹出口５３および外側吹出口５６がシートに配置されている。この他にもたとえば、内側吹出口５３および外側吹出口５６の一方を、シートの横に設けてもよい。たとえば第１実施形態のように内側吹出口５３をコンソールボックス２６などに設けてもよい。
【００４２】
以上の実施形態は、本発明の好適な実施形態の例である。本発明は、これに限定されるものではなく、発明の要旨を逸脱しない範囲において種々の変形または変更が可能である。
【符号の説明】
【００４３】
１…自動車（車両）、２…空調装置、１１…フロアパネル、１２…Ａピラー、１３…Ｂピラー、１４…Ｃピラー、１５…ルーフレール、１６…ルーフパネル、１７…トーボード、１８…ダッシュボード、１９…フロントガラス、２０…リアガラス、２１…サイドシル、２２…センタートンネル、２３…ドライバシート、２４…ナビゲーションシート、２５…シフトレバー、２６…コンソールボックス、２７…ステアリングホイール、２８…ベンチシート、４１…座部、４２…背部、５１…内側吹出ダクト、５２…内側吹出ファン、５３…内側吹出口、５４…外側吹出ダクト、５５…外側吹出ファン、５６…外側吹出口、５７…前側吹出ダクト、５８…前側吹出ファン、５９…前吹出口、６１…調温ユニット、６２…ユニットボックス、６３…ヒータ、６４…ペルチェ素子、６５…温度センサ、７１…制御部
【図１】
2017065465.tif 000003
【図２】
2017065465.tif 000004
【図３】
2017065465.tif 000005
【図４】
2017065465.tif 000006
【手続補正書】
【提出日】平成28年12月19日(2016.12.19)
【手続補正１】
【補正対象書類名】特許請求の範囲
【補正対象項目名】全文
【補正方法】変更
【補正の内容】
【特許請求の範囲】
【請求項１】
車両に乗車した乗員が着座するシートを有する車両の空調装置であって、
前記シートの幅方向一側部または一方側に設けられる一方側吹出口を有する一方側吹出ダクトと、
前記シートの幅方向他側部または他方側に設けられる他方側吹出口を有する他方側吹出ダクトと、
前記シートより前側において前記シートに向けて設けられる前吹出口を有する前側吹出ダクトと、
を有し、
前記一方側吹出ダクトから吹き出した第一空気流および前記他方側吹出ダクトから吹き出した第二空気流を前記シートに着座した乗員の上体部の前で合流させて、乗員の上体部の前で空気を滞留させ、
前記前側吹出ダクトは、前記前側吹出ダクトから吹き出した第三空気流を、前記第一空気流および前記第二空気流より早い速度と、前記第一空気流および前記第二空気流より遅い速度との間で切り替えることにより、内側吹出ダクトの空気流と外側吹出ダクトの空気流とを断続的に合流させ続け、乗員の上体部の前で合流して滞留している空気を乗員の上体部へ向けて移動させ続ける、
車両の空調装置。
【請求項２】
前記一方側吹出口および前記他方側吹出口は、前記シートの背部の幅方向両側部に設けられ、
前記シートより前側において前記シートに向けて設けられる前記前吹出口は、前記シートの幅に対応する幅に形成される、
請求項１記載の車両の空調装置。
【請求項３】
前記一方側吹出ダクトおよび前記他方側吹出ダクトは、合流後の空気流が前記シートに落ち得る低速で空気流を吹き出し、
前記前側吹出ダクトは、前記第一空気流および前記第二空気流より早い第三空気流を吹き出す、
請求項１または２記載の車両の空調装置。
【請求項４】
前記シートの座面の幅方向一方側に設けられたコンソールボックス内に設けられ、空気流を冷やす調温ユニットを有し、
前記一方側吹出ダクトおよび前記他方側吹出ダクトは、前記調温ユニットに接続され、前記調温ユニットにより生成された冷気を吹き出す、
請求項１から３のいずれか一項記載の車両の空調装置。
【請求項５】
前記一方側吹出ダクトおよび前記他方側吹出ダクトから吹き出される空気流は、０．０１ｍ／秒以上、６ｍ／秒以下である、
請求項３記載の車両の空調装置。
【手続補正２】
【補正対象書類名】明細書
【補正対象項目名】０００６
【補正方法】変更
【補正の内容】
【０００６】
本発明に係る車両の空調装置は、車両に乗車した乗員が着座するシートを有する車両の空調装置であって、前記シートの幅方向一側部または一方側に設けられる一方側吹出口を有する一方側吹出ダクトと、前記シートの幅方向他側部または他方側に設けられる他方側吹出口を有する他方側吹出ダクトと、前記シートより前側において前記シートに向けて設けられる前吹出口を有する前側吹出ダクトと、を有し、前記一方側吹出ダクトから吹き出した第一空気流および前記他方側吹出ダクトから吹き出した第二空気流を前記シートに着座した乗員の上体部の前で合流させて、乗員の上体部の前で空気を滞留させ、前記前側吹出ダクトは、前記前側吹出ダクトから吹き出した第三空気流を、前記第一空気流および前記第二空気流より早い速度と、前記第一空気流および前記第二空気流より遅い速度との間で切り替えることにより、内側吹出ダクトの空気流と外側吹出ダクトの空気流とを断続的に合流させ続け、乗員の上体部の前で合流して滞留している空気を乗員の上体部へ向けて移動させ続ける。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
好適には、前記一方側吹出口および前記他方側吹出口は、前記シートの背部の幅方向両側部に設けられ、前記シートより前側において前記シートに向けて設けられる前記前吹出口は、前記シートの幅に対応する幅に形成される、とよい。
【手続補正５】
【補正対象書類名】明細書
【補正対象項目名】０００９
【補正方法】変更
【補正の内容】
【０００９】
好適には、前記一方側吹出ダクトおよび前記他方側吹出ダクトは、合流後の空気流が前記シートに落ち得る低速で空気流を吹き出し、前記前側吹出ダクトは、前記第一空気流および前記第二空気流より早い第三空気流を吹き出す、とよい。
【手続補正６】
【補正対象書類名】明細書
【補正対象項目名】００１０
【補正方法】削除
【補正の内容】